【手続補正書】
【提出日】平成16年2月25日(2004.2.25)
【手続補正１】
【補正対象書類名】明細書
【補正対象項目名】特許請求の範囲
【補正方法】変更
【補正の内容】
【特許請求の範囲】
【請求項１】
ビデオ信号を入力する入力手段と、
複数種類の情報を記憶可能なメモリと、
前記ビデオ信号の情報量を圧縮する圧縮手段と、
キャラクタ信号を生成する生成手段とを備えた信号処理装置において、
前記圧縮手段は前記メモリを用いて前記ビデオ信号の圧縮処理を行い、前記生成手段は前記メモリを用いて前記キャラクタ信号を生成することを特徴とする信号処理装置。
【請求項２】
前記生成手段により生成されたキャラクタ信号と前記入力手段から入力したビデオ信号とを合成する合成手段を備えたことを特徴とする請求項１に記載の信号処理装置。
【請求項３】
前記圧縮手段は前記合成手段から出力された合成ビデオ信号の情報量を圧縮することを特徴とする請求項２に記載の信号処理装置。
【請求項４】
前記圧縮手段により圧縮された合成ビデオ信号を記録媒体に記録する記録手段を備えたことを特徴とする請求項３に記載の信号処理装置。
【請求項５】
前記合成手段から出力された合成ビデオ信号に係る画像を表示する表示手段を備えたことを特徴とする請求項２に記載の信号処理装置。
【請求項６】
前記入力手段として撮像手段を備え、前記合成手段は該撮像手段により得られた前記ビデオ信号と前記キャラクタ信号とを合成することを特徴とする請求項２に記載の信号処理装置。
【請求項７】
前記メモリは、前記圧縮手段により圧縮される以前の前記ビデオ信号を記憶する第１のエリアと、前記圧縮手段により圧縮された前記ビデオ信号を記憶する第２のエリアと、前記第１のエリア及び第２のエリアとは異なる第３のエリアとを有し、前記生成手段は前記第３のエリアを用いて前記キャラクタ信号を生成することを特徴とする請求項１に記載の信号処理装置。
【請求項８】
前記第２のエリアに記憶された前記圧縮されたビデオ信号を読み出して記録媒体上に記録する記録手段を備えたことを特徴とする請求項７に記載の信号処理装置。
【請求項９】
前記メモリは前記圧縮手段がアクセスする第１のエリアと、前記ビデオ信号の画面に対応し、前記第１のエリアとは異なる第２のエリアとを有し、前記生成手段は前記第２のエリアに対して前記キャラクタ信号の画素データの値を示す複数のコードを書き込むメモリ制御手段と、前記第２のエリアより読み出されたコードに従う画素データを出力するテーブルとを有することを特徴とする請求項１に記載の信号処理装置。
【請求項１０】
前記生成手段により生成されたキャラクタ信号と前記ビデオ信号とを合成する合成手段を備え、前記各コードは前記合成手段の合成動作を制御する制御データも示していることを特徴とする請求項９に記載の信号処理装置。
【請求項１１】
ビデオ信号を入力する入力手段と、
複数種類の情報を記憶可能なメモリと、
前記ビデオ信号の情報量を伸長する伸長手段と、
キャラクタ信号を生成する生成手段とを備えた信号処理装置において、
前記伸長手段は前記メモリを用いて前記ビデオ信号の伸長処理を行い、前記生成手段は前記メモリを用いて前記キャラクタ信号を生成することを特徴とする信号処理装置。
【請求項１２】
前記生成手段により生成されたキャラクタ信号と前記伸長手段で伸長されたビデオ信号とを合成する合成手段を備えたことを特徴とする請求項１１に記載の信号処理装置。
【請求項１３】
前記合成手段から出力された合成ビデオ信号に係る画像を表示する表示手段を備えたことを特徴とする請求項１２に記載の信号処理装置。
【請求項１４】
前記入力手段として前記ビデオ信号を再生する再生手段を備えたことを特徴とする請求項１１に記載の信号処理装置。
【請求項１５】
前記メモリは、前記伸長手段により伸長される以前の前記ビデオ信号を記憶する第１のエリアと、前記伸長手段により伸長された前記ビデオ信号を記憶する第２のエリアと、前記第１のエリア及び第２のエリアとは異なる第３のエリアとを有し、前記生成手段は前記第３のエリアを用いて前記キャラクタ信号を生成することを特徴とする請求項１１に記載の信号処理装置。
【請求項１６】
前記メモリは前記伸長手段がアクセスする第１のエリアと、前記ビデオ信号の画面に対応し、前記第１のエリアとは異なる第２のエリアとを有し、前記生成手段は前記第２のエリアに対して前記キャラクタ信号の画素データの値を示す複数のコードを書き込むメモリ制御手段と、前記第２のエリアより読み出されたコードに従う画素データを出力するテーブルとを有することを特徴とする請求項１１に記載の信号処理装置。
【請求項１７】
前記生成手段により生成されたキャラクタ信号と前記ビデオ信号とを合成する合成手段を備え、前記各コードは前記合成手段の合成動作を制御する制御データも示していることを特徴とする請求項１６に記載の信号処理装置。
【請求項１８】
ビデオ信号を入力する入力手段と、
複数の手段がアクセス可能なメモリと、
前記ビデオ信号を処理する処理手段と、
キャラクタ信号を生成する生成手段とを備えた信号処理装置において、
前記処理手段は前記メモリを用いて前記ビデオ信号の処理を行い、前記生成手段は前記メモリを用いて前記キャラクタ信号を生成することを特徴とする信号処理装置。
【請求項１９】
前記処理手段は前記ビデオ信号を符号化する符号化手段を含むことを特徴とする請求項１８に記載の信号処理装置。
【請求項２０】
前記メモリは、前記符号化手段がアクセスする第１のエリアと、前記第１のエリア以外の第２のエリアとを有し、前記生成手段は前記第２のエリアを用いて前記キャラクタ信号を生成することを特徴とする請求項１９に記載の信号処理装置。
【請求項２１】
前記処理手段は更に、前記符号化されたビデオ信号をエラー訂正符号化するエラー訂正符号化手段を含むことを特徴とする請求項１９に記載の信号処理装置。
【請求項２２】
前記メモリは、前記符号化手段がアクセスする第１のエリアと、前記エラー訂正符号化手段がアクセスする第２のエリアと、前記第１及び第２のエリアとは異なる第３のエリアとを有し、前記生成手段は前記第３のエリアを用いて前記キャラクタ信号を生成することを特徴とする請求項２１に記載の信号処理装置。
【請求項２３】
前記処理手段は前記ビデオ信号を復号する復号手段を含むことを特徴とする請求項１８に記載の信号処理装置。
【請求項２４】
前記メモリは、前記復号手段がアクセスする第１のエリアと、前記第１のエリア以外の第２のエリアとを有し、前記生成手段は前記第２のエリアを用いて前記キャラクタ信号を生成することを特徴とする請求項２３に記載の信号処理装置。
【請求項２５】
前記処理手段は更に、前記ビデオ信号中のエラーを訂正するエラー訂正復号手段を含むことを特徴とする請求項２３に記載の信号処理装置。
【請求項２６】
前記メモリは、前記復号手段がアクセスする第１のエリアと、前記エラー訂正復号手段がアクセスする第２のエリアと、前記第１及び第２のエリアとは異なる第３のエリアとを有し、前記生成手段は前記第３のエリアを用いて前記キャラクタ信号を生成することを特徴とする請求項２５に記載の信号処理装置。
【手続補正２】
【補正対象書類名】明細書
【補正対象項目名】００１９
【補正方法】変更
【補正の内容】
【００１９】
【課題を解決するための手段】
前記課題を解決し、目的を達成するため、本発明は、ビデオ信号を入力する入力手段と、複数種類の情報を記憶可能なメモリと、前記ビデオ信号の情報量を圧縮する圧縮手段と、キャラクタ信号を生成する生成手段とを備えた信号処理装置において、前記圧縮手段は前記メモリを用いて前記ビデオ信号の圧縮処理を行い、前記生成手段は前記メモリを用いて前記キャラクタ信号を生成することを特徴とする。
【手続補正３】
【補正対象書類名】明細書
【補正対象項目名】００５２
【補正方法】変更
【補正の内容】
【００５２】
【発明の効果】
以上説明したように、本発明では、ビデオの信号処理で用いるメモリに、ビデオ信号とキャラクタ生成のための信号とを記憶可能とし、前記メモリを圧縮等のビデオ信号処理で用いることに加え、キャラクタ生成でも用いる構成としたことによって、メモリを有効に利用でき、且つ、回路規模を大型化することなく容易にキャラクタ信号を生成することが可能となる。